(57)【要約】【課題】合成ゴム素材を用いながら、着用が容易で、身体にフィットし易く、且つ、耐久性に優れた水着を提供することを課題とする。また、身体との間に入り込んだ水を排水しやすい水着を提供することを他の課題とする。【解決手段】本発明に係る水着は、伸縮率の異なる少なくとも２種類の生地を用い、少なくとも腰部から膝部付近までを覆う構造である。そして、少なくとも表面が合成ゴム素材の本体部と、前記本体部より伸縮率の高い素材からなる高伸縮性領域部とを備え、前記高伸縮性領域部を股間部周辺に設けたことを特徴とする。【選択図】図１
2010174398.tif 000002
【特許請求の範囲】
【請求項１】
伸縮率の異なる少なくとも２種類の生地を用いた水着であって、
少なくとも腰部から膝部付近までを覆う構造であり、
少なくとも表面が合成ゴム素材の本体部と、
前記本体部より伸縮率の高い素材からなる高伸縮性領域部とを備え、
前記高伸縮性領域部を股間部に設けたことを特徴とする水着。
【請求項２】
前記高伸縮性領域部の伸縮率は、ＪＩＳＬ１０１８による伸長率で示した場合、縦横共に前記本体部の伸縮率の１．５倍以上であることを特徴とする請求項１に記載の水着。
【請求項３】
前記本体部の耐水度が、ＪＩＳＬ１０９２による方法で測定した場合に、前記高伸縮性領域部の耐水度より大きいことを特徴とする請求項１又は２に記載の水着。
【請求項４】
前記本体部の耐水度が、ＪＩＳＬ１０９２による方法で測定した場合に、前記高伸縮性領域部の耐水度の１０倍以上であることを特徴とする請求項３に記載の水着。
【請求項５】
前記高伸縮性領域部は、股間中心部の左右両側付近から大腿に向かって広がる領域を含むことを特徴とする請求項１乃至４のいずれか１項に記載の水着。
【請求項６】
前記高伸縮性領域部は更に、股間中央付近をその領域に含むことを特徴とする請求項５に記載の水着。
【請求項７】
腰部から足首までの下半身を覆うことを特徴とする請求項１乃至６のいずれか１項に記載の水着。
【請求項８】
肩部から足首まで上半身および下半身を一体的に覆うことを特徴とする請求項１乃至６のいずれか１項に記載の水着。
【発明の詳細な説明】
【技術分野】
【０００１】
本発明は水着に関し、特に、競泳用の水着の改良に関する。
【背景技術】
【０００２】
より速く泳ぐために、これまでいろいろ競泳用の水着の改良がなされてきた。例えば、水中での抵抗を軽減するために身体の形状を水着によって修正（補正）するものなどがある。具体的には、伸縮強度の異なる素材をパターン状に組み合わせて、身体の各部位ごとに異なる圧力を加える。これにより身体の形状をより流水抵抗が小さくなるようにしている（特許文献１）。このような体型補正の効果は大きく、競泳におけるタイムが年々短縮されてきている。
【特許文献１】特開平１１―２７９８１０
【０００３】
一方で、水着の表面と水自体との水流抵抗を抑えるために、例えば、合成ゴムを使用した水着が提案されている。合成ゴムの素材には、例えば、山本化学工業(株)製のバイオラバースイム、バイオラバースイムマーク３などがある。これらの合成ゴム素材の、水に対する抵抗係数は、０．０２１ｃｄｆである。これは、人間の肌の（２．０）や、従来の他の水着（１．８）に比べて桁違いに小さく、素材表面の水流抵抗が非常に小さいものとなっている。
【０００４】
合成ゴムを用いた水着は、水に対する抵抗係数が小さいが、伸縮性が低く、着用が困難であるとともに、身体にフィットし難いという問題点があった。伸縮性の低い素材を無理矢理着用しようとすると、着用時に引っ張った部分のみに局所的に応力が集中し、破れやすくなる。また、身体の中心に近い股間部分に空間が形成され易く、その結果、股間部分の可動範囲が狭くなり、脚部の動きを阻害しかねない結果となっていた。
【０００５】
また、合成ゴムは、一般的に水の透過率が低いため、襟元などの開口部から水が入ると、その水が水着の中から抜け難く、水着と身体の間に溜まってしまうことがある。その結果、泳いでいるときの身体の動きを阻害することがあった。
【発明の開示】
【発明が解決しようとする課題】
【０００６】
本発明は、上記のような状況に鑑みてなされたものであり、合成ゴム素材を用いながら、着用が容易で、身体にフィットし易く、且つ、耐久性に優れた水着を提供することを目的とする。
また、身体との間に入り込んだ水を排水しやすい水着を提供することを他の目的とする。
【課題を解決するための手段】
【０００７】
上記の課題を解決するために、本発明に係る水着は、伸縮率の異なる少なくとも２種類の生地を用い、少なくとも腰部から膝部付近までを覆う構造である。そして、少なくとも表面が合成ゴム素材の本体部と、前記本体部より伸縮率の高い素材からなる高伸縮性領域部とを備え、前記高伸縮性領域部を股間部周辺に設けたことを特徴とする。
【０００８】
上記のような構成の本発明に係る水着によれば、身体の中央部分（股間周辺）が伸縮しやすくなり、着用が容易になる。このため、着用時に股間周辺等を局所的に無理に引っ張ることが無くなるので、水着としての耐久性が向上する。また、特に股間周辺のフィット性が向上するため、股間部分の可動範囲が広がり、脚部の動きを阻害することがなくなる。ところで、泳いでいる間の股間部分は、水流の抵抗を受けにくいため、股間部分にｃｄｆ値が高い（水に対する抵抗係数が大きい）高伸縮性の素材を採用しても、水着全体としての水に対する抵抗の低下は無視できる程度である。
【０００９】
高伸縮性素材として水の透過率の高い素材を選択した場合には、水着内部に侵入した水が股間部分から容易に抜け出ることになる。その結果、水流抵抗の増加を防ぐことができ、また、浸入する水による着用者の違和感や不快感を低減できる。
【００１０】
本発明は、腰から足首まで下半身を覆う水着や、肩から足首まで上下一体型のほぼ全身を覆うような水着に用いると、効果がより顕著に現れる。
【図面の簡単な説明】
【００１１】
【図１】図１は、本発明の実施例に係る水着を着用した様子を示す前方斜視図である。
【図２】図２は、本発明の実施例に係る水着を着用した様子を示す背面図である。
【図３】図３は、本発明の実施例に係る水着を示す平面図（正面図）である。
【図４】図４は、本発明の実施例に係る水着の股間部周辺の構造を示す平面図（正面図）である。
【図５】図５は、本発明の実施例に係る水着の股間部周辺の構造（開脚状態）を下方から観察した様子示す説明図である。
【図６】図６は、本発明の実施例に係る水着の股間部中心周辺の構造を示す説明図である。
【発明を実施するための最良の形態】
【００１２】
以下、図面を参照して、この発明の実施の形態について説明する。図１は、本発明の実施例に係る水着１０を着用した様子を示す前方斜視図である。図２は、水着１０を着用した様子を示す背面図である。図３は、水着１０の構造を示す平面図（正面図）である。
【００１３】
水着１０は、上半身の肩口から下半身の足首付近まで上下一体に成形されている。水着１０は、伸縮率の異なる少なくとも２種類の生地を用い、少なくとも表面が合成ゴム素材の本体部５と、本体部５より伸縮率の高い素材からなる高伸縮性領域部１とを備えている。前記高伸縮性領域部１は股間部周辺に設けられている。
【００１４】
高伸縮性領域部１は、股間中心部の左右両側付近から大腿に向かって広がる領域を含んでいる。詳細については後述する。図において符号４は縫製ラインを示し、水中での抵抗や関節の動きを考慮して設計することが可能である。本実施例においては、水着１０は、高伸縮性領域部１を含む股間部付近以外、すべて合成ゴム素材の本体部５で構成されている。
【００１５】
本体部５に用いられる合成ゴム素材は、水に対する抵抗値が、人間の皮膚や従来の水着に比べて桁違いに小さいが、基本的に透水性はない。この合成ゴム素材には、例えば、「バイオラバースイム」または「バイオラバースイムマーク３」（山本化学工業(株)製）が使用可能である。
【００１６】
本体部５を形成する合成ゴム素材は、表面層、中間層および内面層からなる３層構造を有している。表面層には、石油を使用しない石灰石を原料とする合成ゴムが用いられる。この表面層の表面には、数十ミクロンの独立気泡からなる小さなハニカム構造を備えている。これによって、同じ体積の合成ゴムよりも軽量化を図れるのみならず、水中においては水圧でハニカム構造の孔の中に水の分子が入り込み生地表面が水分子で覆われて親水性が高くなるという効果がある。合成ゴム素材の水との摩擦抵抗係数は、０．０２１ｃｄｆである。人間の皮膚は２．０、従来の水着が１．８という値と比べて桁違いに親水性が高い。
【００１７】
内面層には、伸縮性を有するポリエステルが用いられる。このポリエステルは吸水率が０．５％で実質的に水を吸収しない。なお、本体部５を構成する素材としては、本実施例のような石灰石を原料とした素材の他に、これ以外の素材を使用可能である。
【００１８】
高伸縮性領域部１には、伸縮性の高いストレッチ素材が用いられる。このストレッチ素材には、弾性繊維のポリウレタンを使用した２ＷＡＹトリコットが使用でき、その組成としてはポリエステル（またはナイロン）７０〜９０％、ポリウレタン３０〜１０％程度とすることができる。このストレッチ素材の伸縮率は、ＪＩＳＬ１０１８による伸長率で示した場合、縦横共に本体部５を構成する合成ゴム素材の伸縮率の１．５倍以上とすることが好ましい。例えば、伸長率（ＪＩＳＬ１０１８）は、本体部５：縦２０．０、横１４．３、高伸縮性領域部１：縦３５．５、横３６．８程度とする。
【００１９】
また、本体部５の耐水度（水浸透率の逆）は、ＪＩＳＬ１０９２による方法で測定した場合に、高伸縮性領域部１の耐水度より大きい。本体部５の耐水度を高伸縮性領域部１の１０倍以上とすることが好ましい。これによって、水着と身体との間に入った水を高伸縮性領域部１から良好に排出可能となる。例えば、耐水度（ＪＩＳＬ１０９２  低水圧法、静水圧法）は、本体部（合成ゴム素材）５が２００．０以上、高伸縮性領域部１（ストレッチ素材）が１１．２とする。ここで、高伸縮性領域部１は、ストレッチ性や耐久性を考慮して素材を選定することになるが、好ましくは耐水度を１５．０以下とする。
【００２０】
図４は、水着１０の股間部周辺の構造を示す平面図（正面図）である。図５は、水着１０の股間部周辺の構造（開脚状態）を下方から観察した様子示す説明図である。図６は、水着１０の股間部中心周辺の構造を示す説明図である。説明の便宜上、図５及び図６において、高伸縮性領域部１をハッチングによって示している。
【００２１】
高伸縮性領域部１は、股間中央付近の左右両側から大腿部内側を経て膝方向（大腿方向）に向かって三角形に近い形状で設けられる。この高伸縮性領域部１は、図１に示すように着用すると扇形になる。なお、高伸縮性領域部１は、三角形以外にも、扇形や多角形等することも可能である。
【００２２】
図５及び図６に示すように、股間中央付近に身体の後方（臀部方向）に向かって狭まる略逆三角形状の高伸縮性領域部２がさらに形成されている。この高伸縮性領域部２は、図１〜図４では、隠れて見えていない。この高伸縮性領域部２により、例えば平泳ぎなどの際に、泳者の脚部の可動範囲を無理なく広げることができる。
【００２３】
更に、股間中央付近であり、高伸縮性領域部２の前方（下腹部側）には、矩形の高伸縮性領域部３が設けられている。水着に侵入してきた水は、これらの高伸縮性領域部１，２，３から抜け出ることになる。高伸縮性領域部２、３の素材については、高伸縮性領域部１と同様のものを使用することが出来る。なお、比較的面積の小さな高伸縮性領域部２及び／又は３としては、高伸縮性領域部１に採用されるストレッチ素材とは異なるメッシュ素材を使用することも出来る。この場合、水着１０と身体との間に侵入してきた水の排出性能が更に向上する。
【００２４】
少なくとも高伸縮性領域部１に採用されるストレッチ素材は、ゴム素材に比べて水の抵抗が大きいため、この素材を水着全体として用いると、泳ぐときに水の抵抗が大きくなる。ところが、股間から膝までの間の大腿部の内側は、流水抵抗に対する影響が小さい。一方、大腿部の外側や、膝部分７よりも下の領域は、流水抵抗に対する影響が大きい。従って、股間から膝までの間の大腿部の内側に高伸縮性の素材や透水性の素材を用いることで、競泳の速さに与える影響を最小限に抑えることが出来る。
【００２５】
合成ゴム素材１００％の水着では、その伸縮性が劣る為、股間部分に空気や水がたまってしまう。本実施例のように、股間部分（お尻の割れ目の部分）に高伸縮性素材からなる領域部２を形成することにより、股関節部分に水着が密着し、水の抵抗を軽減するとともに、スイマーの違和感を大幅に改善することができる。
【００２６】
以上本発明の実施例について説明したが、本発明は上記実施例に限定されるものではなく、特許請求の範囲に記載された技術的思想を逸脱しない範囲で種々の設計変更等が可能である。上述した実施の態様では、肩から足首まで覆う上下一体型の水着について例示したが、腰から足首まで下半身のみを覆うタイプや、腰から膝付近までを覆うタイプでも本発明を実現可能である。
【符号の説明】
【００２７】
１，２，３    高伸縮性領域部
４    縫製部
５    本体部合成ゴム素材
７    膝部分
１０  水着
【図１】
2010174398.tif 000003
【図２】
2010174398.tif 000004
【図３】
2010174398.tif 000005
【図４】
2010174398.tif 000006
【図５】
2010174398.tif 000007
【図６】
2010174398.tif 000008